(57)【特許請求の範囲】
【請求項１】
ボイスコイルを取り付けたダイアフラムからなる音響再生部によって音響再生を行い、
マグネットを取り付けた磁気回路部によって体感振動の発生を行い、
前記音響再生部と前記磁気回路部とを、筒型形状を有するハウジングに取り付けた多機能型振動アクチュエータであって、
平面形状が二回回転対称な枠型形状のサスペンションによって、前記磁気回路部を前記ハウジング内壁に支持した多機能型振動アクチュエータ。
【請求項２】
ボイスコイルを取り付けたダイアフラムからなる音響再生部によって音響再生を行い、
マグネットを取り付けた磁気回路部によって体感振動の発生を行い、
前記音響再生部と前記磁気回路部とを、筒型形状を有するハウジングに取り付けた多機能型振動アクチュエータであって、
磁気回路部用支持部を二回回転対称に配置した枠型形状のサスペンションによって、前記磁気回路部を前記ハウジング内壁に支持した多機能型振動アクチュエータ。
【請求項３】
請求項１又は２に記載の多機能型振動アクチュエータであって、角部が突出した枠型形状のサスペンションによって前記磁気回路部を前記ハウジング内壁に支持した多機能型振動アクチュエータ。
【発明の詳細な説明】
【技術分野】
【０００１】
本発明は、枠状のサスペンションを用いた多機能型振動アクチュエータに関する。
【０００２】
現在、携帯電話等に代表される移動体通信機器には着信時にボイスコイルを取り付けたダイアフラムによって着信音を再生する音響再生機能と、マグネットを取り付けた磁気回路部によって体感振動を発生する振動発生機能とを有する多機能型振動アクチュエータが数多く用いられている。
【０００３】
このような多機能型振動アクチュエータとしては特許２９３００７０（以下特許文献１として記載）に記載された構造があり、角型のハウジングと円筒形状に構成したボイスコイル及びマグネットを組み合わせることによって磁気回路部の角部を重り部として使用し、体感振動を得ることを可能にしている。
【０００４】
また、特開２０００−２０１３９６（以下特許文献２として記載）に記載の構造では、トラック形状のハウジングと磁気回路部によって放音面積を広く設定しており、従来の円筒型多機能型振動アクチュエータよりも高い音圧と、トラック形状を用いたことによる省スペース化という効果を得ている。
【０００５】
また、特許文献２に記載の多機能型振動アクチュエータでは磁気回路部を支持するサスペンションをトラック形状としており、長手方向の寸法を伸ばす事によってトラック形状の幅を狭めても磁束密度を大きくとることができる構造となっている。
【０００６】
【特許文献１】特許２９３００７０
【特許文献２】特開２０００−２０１３９６
【発明の開示】
【発明が解決しようとする課題】
【０００７】
しかしながら、上記二つの特許文献に代表される従来の多機能型振動アクチュエータにはサスペンションの構造上、体感振動の発生時、磁気回路部に対して回転方向の力がかかってしまうという問題があった。
【０００８】
この為、特許文献１記載の構造では磁気回路部に搭載したマグネットを円板形状にしなければ磁気空隙を維持することができず、ダイアフラムに搭載するボイスコイル形状が円筒形状に限定されてしまうという問題があった。
【０００９】
また、特許文献２に記載の構造では磁気回路部に長円形のマグネットを用いた構造上、回転方向の移動量に対応して磁気空隙を広く取る必要があり、長さ方向の寸法を拡大しようとする場合に幅方向の寸法も併せて拡大しなければならないという問題があった。
【課題を解決するための手段】
【００１０】
上記述べた問題点に鑑み、本発明は体感振動時に磁気回路部の回転を抑え、安定した振動により容易に小型化が可能な多機能型振動アクチュエータを提供することを目的としている。
【００１１】
前記目的のため、請求項１記載の発明では多機能型振動アクチュエータに於いて、平面形状が二回回転対称な枠状サスペンションを用いたことを特徴としている。
【００１２】
より具体的には、本発明の多機能型振動アクチュエータは独立して延長されたアームによって磁気回路部を弾性支持するサスペンション構造ではなく、二回回転形状に形成された枠状形状の各部で磁気回路部をハウジング内壁に支持するサスペンション構造を用いている。
【００１３】
前記枠状サスペンション構造を用いたことで、本発明の多機能型振動アクチュエータではハウジング内部に於けるサスペンションの省スペース化という効果を得ることができる。加えて、従来の多機能型振動アクチュエータが有していた磁気回路部の回転を抑制することも可能となる。
【００１４】
また、二回回転対称形状を用いたことによって体感振動の発生時に、前記磁気回部を支持する枠状サスペンションのアーム部が対向方向で一対となって弾性変形を生じ、磁気回路部の形状によって振幅が制限されない安定した振動特性を得ることができると共に、隣接したアーム部の形状を変えることで振動特性を調整することも可能となる。
【００１５】
また、請求項２に記載の発明では、上記請求項１記載の発明に於けるサスペンション形状を回転対称とした構造に対して、サスペンションの磁気回路部用支持部を二回回転対称位置に配置した構造を特徴としている。
【００１６】
この為、平面形状が二回回転対称形状ではない枠状サスペンションを用いた構造に於いても、請求項２に記載の発明を用いることで上述した振動特性の調整を行うことができると共に、該サスペンションのアーム部に関して偏りのない線対称形状を用いた場合には更なるサスペンションの省スペース化という効果をも得ることができる。
【００１７】
また、請求項３に記載の発明では、上記請求項１又は２に記載の発明に於いて用いる枠状のサスペンションに関して、角部が突出した形状に構成したことを特徴としている。この為、請求項１又は２に記載の多機能型振動アクチュエータに於ける体感振動の発生時に生じるサスペンションの撓みを角部で吸収させることができる。
【００１８】
以上述べたように、本発明の多機能型振動アクチュエータを用いることで、従来の多機能型振動アクチュエータと比較して角型等、任意の形状に構成することが容易な小型の多機能型振動アクチュエータを得ることが可能となる。
【実施例】
【００１９】
以下に、図１〜図７を用いて、本発明における最良の実施形態を示す。
【００２０】
図１に本実施例に於いて用いる多機能型振動アクチュエータの斜視図を示す。図１から解るように、本実施例に於いて用いる多機能型振動アクチュエータは平面形状を略長方形とした構造となっており、基板実装時に於ける搭載空間の省スペース化という効果を得ている。
【００２１】
図２に図１のａ−ａ’断面に於ける側断面図を、図３に図１で示した多機能型振動アクチュエータの分解斜視図をそれぞれ示す。
【００２２】
図１及び図２、図３から解るように、本実施例記載の多機能型振動アクチュエータは、センターキャップ１、ダイアフラム本体２、ボイスコイル３からなる音響再生部と、ポールピース４、マグネット５、ヨーク６、サスペンション７からなる磁気回路部とをハウジング８に取り付けて前記磁気回路部をカバー９内に収納し、ハウジング８に設けた接点端子１０を通じてボイスコイル３に入力を行うダイナミック型の構造を有している。
【００２３】
この為、入力する周波数によって音響再生部による音響再生機能と、磁気回路部の振動による体感振動発生機能とを使い分けることが可能となっている。
【００２４】
また、サスペンション７はヨーク取付部７ｂとハウジング取付部７ｅとを枠状のアーム部によって弾性支持した二回回転対称枠状形状の構造を用いている。
【００２５】
また、前記音響再生部に関してダイアフラム角部にＶ溝ｃを設けることで角部に生じる撓みを吸収すると共に、ダイアフラム本体２にセンターキャップ１を貼り付けた二体構造を用いたことでダイアフラムの剛性を高め、音響再生時の分割振動を抑えた歪みの少ない再生音を得ている。
【００２６】
図４に図３に於いて示したダイアフラムのボイスコイル取付部を示す。
【００２７】
図４及び、先に示した図２、図３から解るように、本実施例に於いて用いる多機能型振動アクチュエータは、音響再生部に関してボイスコイル取付時、センターキャップ１の直下にのみ設けたボイスコイル取付部ｄを用いることで、ボイスコイル３をセンターキャップ１の直下から突出させた構造を用いている。
【００２８】
また、磁気回路部に関してはヨーク６の外縁部を切り欠いてマグネット５とポールピース４をヨーク６内部に収め、前記切り欠き部に枠状サスペンションの取付部６ｂを設けた構造を用いている。
【００２９】
上記構造を用いた事で本実施例の多機能型振動アクチュエータはダイアフラム中心部によってボイスコイル径を制限された従来の多機能型振動アクチュエータよりも高い再生音圧を得ることが可能となった。
【００３０】
また、磁気回路部に関してもヨーク内径によってマグネット径を制限された従来の多機能型振動アクチュエータよりも大きい振動量を得ることができた。
【００３１】
また、同じ技術的見地からダイアフラムに関してボイスコイル取付部ｄを設けず、センターキャップに面したダイアフラム本体２の平坦部分に直接ボイスコイル３を取り付けた構造とすることが可能となっており、前記構造を用いた場合はダイアフラムの厚み寸法を低く抑えてコイルの巻数を増加することができる。
【００３２】
また、図２から解るように、本実施例ではヨーク６の底部を横方向に張り出した構造を設けている。この為、落下等の衝撃を受けた際にハウジング底部がヨークに対するストッパーとして機能し（図２中ｆ参照）、ボイスコイル３とヨーク６との衝突防止という効果を得ると共に、ヨーク６に関して横方向の寸法を大きく取ることができ、体感振動の発生時における振動量を増加する事が可能となった。
【００３３】
図５に本実施例に於ける磁気回路部駆動時に変形したサスペンション７の斜視図を、図６及び図７に本実施例に於いて用いた枠状サスペンション７の平面図をそれぞれ示す。
【００３４】
図５は、図６に記載の平面形状を有するサスペンションによって磁気回路部を支持した際の斜視図である。本実施例に記載のサスペンション構造を用いたことで、対称形状を有する対向方向のアームが一対となって弾性変形し、体感振動の発生時に磁気回路部が回転しにくい内部構造を得ることができた。
【００３５】
また、図６から解るように、本実施例に於いて用いた枠状サスペンション７は隣接した角部の形状を変えた二回回転対称形状とした構造となっており、角部を突出させたことによって体感振動の発生時、サスペンション７に生じる撓みを吸収させると共に、角部形状を変えることで振動特性を最適な状態に調整することが可能となった。
【００３６】
また、図７に記載のサスペンションでは異なる形状のアーム部ｈとアーム部ｉとを組み合わせて二回回転対称の枠型形状を構成している。この為、磁気回路部の駆動時、アーム部全体に応力を分散させつつ最適な振動特性を得ることができた。
【００３７】
上述したサスペンションによる効果に関して、本実施例ではアーム部の形状を変化させて二回回転対称形状としたが、同じ技術的見地から図９に示す様にヨーク取付部ｂを二回回転対称位置に配置した構造としても同様の効果を得ることができる。
【００３８】
上記効果に加えて、本実施例では全体として角型の形状を用いた構成としたが、サスペンション形状を枠型としている為、長円形等の任意の形状に対応することができると共に、全体の構造を容易に小型化することが可能となっている。また、図８に示すようにハウジング８の下面にサスペンション取付部８ｅを設けた為、体感振動の発生時にハウジングがサスペンションの動きを制限しない構成となった。
【００３９】
以上述べたように、本実施例に記載した多機能型振動アクチュエータを用いることで、従来の多機能型振動アクチュエータと比較して角型等、任意の形状に構成することが容易な小型の多機能型振動アクチュエータを得ることが可能となった。
【図面の簡単な説明】
【００４０】
【図１】本実施例に於ける多機能型振動アクチュエータの斜視図
【図２】図１のａ−ａ’断面に於ける側断面図
【図３】本実施例に於ける多機能型振動アクチュエータの分解斜視図
【図４】本実施例に於いて用いるダイアフラムの下側斜視図
【図５】本発明の実施例に於いて、磁気回路部駆動時に弾性変形したサスペンション７の斜視図
【図６】本実施例に於いて用いたサスペンション（角部二回回転対称形状）の平面図
【図７】本実施例に於いて用いたサスペンション（アーム部二回回転対称形状）の平面図
【図８】本実施例に於いて用いるハウジングの下側斜視図
【図９】本実施例に於いて用いたサスペンション（取付部二回回転対称）の平面図
【符号の説明】
【００４１】
１    センターキャップ
２    ダイアフラム本体
３    ボイスコイル
４    ポールピース
５    マグネット
６    ヨーク
６ｂ  ヨーク側サスペンション取付部
７    サスペンション
７ｂ  ヨーク取付部
７ｅ  ハウジング取付部
８    ハウジング
８ｅ  ハウジング側サスペンション取付部
９    カバー
１０    接点端子
ｂ    ヨーク取付部
ｃ    Ｖ溝
ｄ    ボイスコイル取付部
ｆ    ストッパー機能
ｇ    磁気空隙
ｈ、ｉ  アーム部
【図１】
0005007413.tif 000002
【図２】
0005007413.tif 000003
【図３】
0005007413.tif 000004
【図４】
0005007413.tif 000005
【図５】
0005007413.tif 000006
【図６】
0005007413.tif 000007
【図７】
0005007413.tif 000008
【図８】
0005007413.tif 000009
【図９】
0005007413.tif 000010